(57)【要約】【課題】遊技機内部の配線を保護する遊技機を提供することを目的とする。【解決手段】  本発明に係る遊技機は、遊技機本体の一部を構成する本体枠３ａと、本体枠３ａにおける背面側に配置された基台３００と、本体枠３ａの背面側に配設されている配線２１０の少なくとも一部を覆う保護カバー２００とを有し、保護カバー２１０もしくは基台３００の何れか一方には、軸受け部２００ａが備えられるとともに他方には軸部３００ａが備えられ、軸受け部２００ａと軸部３００ａとが係止されることにより保護カバー２００が基台３００に取り付けられるようになっている。【選択図】      図３
2006204786.tif 000002
【特許請求の範囲】
【請求項１】
遊技機本体の一部を構成する本体枠と、
前記本体枠における背面側に配置された基台と、
前記本体枠の背面側に配設されている配線の少なくとも一部を覆う保護カバーとを有し、
前記保護カバーもしくは前記基台の何れか一方には、第１の係止部が備えられるとともに前記他方には所定の係止部が備えられ、
前記第１の係止部と前記所定の係止部とが係止されることにより前記保護カバーが前記基台に取り付けられることを特徴とする遊技機。
【請求項２】
前記保護カバーは、前記本体枠における背面側の周縁部に位置する基台に係止されることを特徴とする請求項１記載の遊技機。
【請求項３】
前記所定の係止部は、前記第１の係止部と回動可能に係止される軸部であることを特徴とする請求項１または２に記載の遊技機。
【請求項４】
前記保護カバーは、
前記第１の係止部、もしくは前記所定の係止部が備えられている端部以外の少なくとも何れか一の端部に、前記本体枠における背面側の周縁部に形成されている本体枠の係止部に係止される第２の係止部を備える、
ことを特徴とする請求項１〜３の何れか一項に記載の遊技機。
【請求項５】
前記保護カバーは、
前記第２の係止部が規制する方向とは反対方向への動きを規制する規制部を備える、
ことを特徴とする請求項４記載の遊技機。
【請求項６】
前記保護カバーもしくは前記本体枠における背面側に位置する基台は、複数の第１の係止部を有し、
前記複数の第１の係止部が前記所定の係止部に係止されることにより、前記複数の第１の係止部の間に、前記配線の少なくとも一部が挿通可能な開口部が形成される、
ことを特徴とする請求項１〜５の何れか一項に記載の遊技機。
【請求項７】
前記本体枠は、
島設備に固定されるベース枠に一方端を回動支点として支持されて当該ベース枠に開閉可能に取り付けられ、
前記保護カバーは、
前記本体枠における前記回動支点とは反対側に位置することを特徴とする請求項１〜６の何れか一項に記載の遊技機。
【請求項８】
前記保護カバーは、
透明性を有する部材で構成されることを特徴とする請求項１〜７の何れか一項に記載の遊技機。
【発明の詳細な説明】
【技術分野】
【０００１】
本発明は、遊技機に関し、特に遊技機内部に、電子部品に接続する配線を具備するパチンコ遊技機やスロットマシン等の遊技機に適用して有効な技術に関するものである。
【背景技術】
【０００２】
近年、遊技機のさまざまな演出等を行うために電子制御部品（電子部品）が増え、遊技機内部（本体枠背面側）の構造は複雑化してきており、そのための配線は煩雑になってきている。そして、この配線を整然とさせるために、リアカバー外面に配線の係止用のフックを設けた遊技機も知られている（例えば、特許文献１）。
【特許文献１】特開２００１−３４７０２６号公報
【発明の開示】
【発明が解決しようとする課題】
【０００３】
しかしながら、上述の遊技機においては、配線が整然とするようになったものの、係止が外れてしまうという問題が生じていた。
【０００４】
また、コネクタ接続のためには配線の長さに遊びが必要であり、その遊びによる配線のたるみに指などを引っ掛けたり等して、遊技機の点検の時や搬送の際に断線させてしまったり、コネクタを抜けさせたりしてしまったりする等の問題も生じていた。
【０００５】
そこで、本発明は、遊技機内部の配線を保護する遊技機を提供することを目的とする。
【課題を解決するための手段】
【０００６】
上記課題を解決するため、請求項１に記載の本発明の遊技機は、遊技機本体の一部を構成する本体枠（本体枠３ａ）と、本体枠における背面側に配置された基台（基台３００）と、本体枠の背面側に配設されている配線（配線２１０）の少なくとも一部を覆う保護カバー（保護カバー２００）とを有し、保護カバーもしくは基台の何れか一方には、第１の係止部（軸受け部２００ａ）が備えられるとともに他方には所定の係止部（軸部３００ａ）が備えられ、第１の係止部と所定の係止部とが係止されることにより保護カバーが基台に取り付けられることを特徴とする。
【０００７】
これにより、遊技機内部(本体枠背面側)の配線を保護することができる。そのため、点検や輸送の際等に、配線のたるみに指などを引っ掛けてしまうことを防止することができ、本体枠の背面側に配設されている配線の断線等を防ぐことができる。さらに、配線を用いた不正行為を防止することもでき、安全性を高めることができる。
【０００８】
また、保護カバーは係止されているだけであるため、工具を用いずとも当該保護カバーを取り外すことが可能であり、配線の設置作業、撤去作業、接続確認作業、その他のメンテナンス作業等を効率良く行うことができる。
【０００９】
請求項２に記載の本発明は、請求項１に記載の発明の構成に加えて、保護カバーは、本体枠における背面側の周縁部に位置する基台に係止されることを特徴とする。
【００１０】
これにより、本体枠における背面側の周縁部に配設される配線が、本体枠における背面側から突出しないように保護することができる。そのため、点検や輸送の際等に、配線のたるみに指などを引っ掛けてしまうことをより防止することができ、本体枠における背面側の周縁部に配設されている配線の断線等をより防ぐことができる。さらに、配線を用いた不正行為をより防止することもでき、安全性を高めることができる。
【００１１】
また、保護カバーは係止されているだけであるため、工具を用いずとも当該保護カバーを取り外すことが可能であり、配線の設置作業、撤去作業、接続確認作業、その他のメンテナンス作業等を効率良く行うことができる。
【００１２】
請求項３に記載の本発明は、請求項１または２に記載の発明の構成に加えて、所定の係止部は、第１の係止部と回動可能に係止される軸部（軸部３００ａ）であることを特徴とする。
【００１３】
これにより、保護カバーを回動して開閉することが可能となるため、保護カバーを取り外さなくとも、配線の設置作業、撤去作業、接続確認作業、その他のメンテナンス作業等を行うことができ、作業の効率化をより一層高めることができる。
【００１４】
また、軸部と軸受け部である第一の係止部とを係止させるにより係止部分をより安定させることができる。そのため、係止が外れてしまうことを防止することができる。
【００１５】
請求項４に記載の本発明は、請求項１〜３の何れか一項に記載の発明の構成に加えて、保護カバーは、第１の係止部、もしくは所定の係止部が備えられている端部以外の少なくとも何れか一の端部に、本体枠における背面側の周縁部に形成されている本体枠の係止部（本体枠係止部３ｃ）に係止される第２の係止部（係止爪２００ｂ）を備えることを特徴とする。
【００１６】
これにより、保護カバーがより確実に係止されるため、係止が外れてしまうことをより確実に防止することができるとともに、本体枠における背面側の周縁部に配設される配線の保護をより確実に行うことができる。そのため、点検や輸送の際等に、配線のたるみに指などを引っ掛けてしまうことをより確実に防止することができ、本体枠における背面側の周縁部に配設されている配線の断線等をより確実に防ぐことができる。さらに、配線を用いた不正行為をより確実に防止することもでき、安全性を高めることができる。
【００１７】
請求項５に記載の本発明は、請求項４に記載の発明の構成に加えて、保護カバーは、第２の係止部が規制する方向とは反対方向への動きを規制する規制部（規制部２００ｃ）を備えることを特徴とする。
【００１８】
これにより、第２の係止部が規制する方向とは反対方向への動きも規制されるため、保護カバーがより確実に係止され、係止が外れてしまうことをより確実に防止することができるとともに、本体枠における背面側の周縁部に配設される配線の保護をより確実に行うことができる。そのため、点検や輸送の際等に、配線のたるみに指などを引っ掛けてしまうことをより確実に防止することができ、本体枠における背面側の周縁部に配設されている配線の断線等をより確実に防ぐことができる。さらに、配線を用いた不正行為をより確実に防止することもでき、安全性を高めることができる。
【００１９】
請求項６に記載の本発明は、請求項１〜５の何れか一項に記載の発明の構成に加えて、保護カバーもしくは本体枠における背面側の周縁部に位置する基台は、複数の第１の係止部を有し、複数の第１の係止部が所定の係止部に係止されることにより、複数の第１の係止部の間に、配線の少なくとも一部が挿通可能な開口部（開口部２００ｅ）が形成されることを特徴とする。
【００２０】
これにより、開口部に挿通する配線の動きを四方から規制することができ、配線を一層確実に保護することができるとともに、配線を束にしてまとめ易くなるため、遊技機内部の整頓が容易となる。
【００２１】
請求項７に記載の本発明は、請求項１〜６の何れか一項に記載の発明の構成に加えて、本体枠は、島設備に固定されるベース枠（ベース枠３ｂ）に一方端を回動支点として支持されて当該ベース枠に開閉可能に取り付けられ、保護カバーは、本体枠における回動支点とは反対側に位置すること特徴とする。
【００２２】
これにより、本体枠背面側の開閉端側に配置されている配線が、本体枠の回動等を契機とする挟み込まれ等により断線することを防止できる。
【００２３】
請求項８に記載の本発明は、請求項１〜７の何れか一項に記載の発明の構成に加えて、保護カバーは、透明性を有する部材で構成されることを特徴とする。
【００２４】
これにより、保護カバーを取り外さずとも保護カバーに覆われている配線を視認することができるため、点検が容易になるとともに、ゴト行為等の不正行為等を発見しやすくなる。
【発明の効果】
【００２５】
本発明によれば以下の効果を奏することができる。
【００２６】
すなわち、本発明によれば、本体枠における背面側に配設された配線の少なくとも一部が保護カバーによって覆われるので、遊技機内部(本体枠背面側)の配線を保護することができる。そのため、点検や輸送の際等に、配線のたるみに指などを引っ掛けてしまうことを防止することができ、本体枠の背面側に配設されている配線の断線等を防ぐことができる。さらに、配線を用いた不正行為を防止することもでき、安全性を高めることができる。
【００２７】
また、保護カバーは係止されているだけであるため、工具を用いずとも当該保護カバーを取り外すことが可能であり、配線の設置作業、撤去作業、接続確認作業、その他のメンテナンス作業等を効率良く行うことができる。
【発明を実施するための最良の形態】
【００２８】
以下、本発明を実施するための最良の形態を、図面を参照しつつさらに具体的に説明する。ここで、添付図面において同一の部材には同一の符号を付しており、また、重複した説明は省略されている。なお、ここでの説明は本発明が実施される最良の形態であることから、本発明は当該形態に限定されるものではない。
【００２９】
図１は本発明の一実施の形態にである遊技機を示す斜視図、図２は図１の遊技機の本体枠の背面側を示す説明図、図３は図２に示す係止された保護カバーの拡大図、図４は基台に保護カバーが係止されていない状態を示す説明図、図５は本実施の形態の保護カバーにおける軸受け部を備える端部側を示す斜視図、図６は本実施の形態の保護カバーにおける軸受け部を備える端部側に対向する端部を示す斜視図、図７は本実施の形態に係る保護カバーの裏面を示す斜視図、図８は図３に示す保護カバーの断面図、図９は配線の一部を覆う保護カバーの裏面を示す斜視図、図１０は本実施の形態に係る遊技機の分解斜視図である。
【００３０】
図１に示すように、パチンコ遊技機（遊技機）１は、遊技盤２ａが装着された本体枠３ａがヒンジを介して島設備に固定されるベース枠３ｂに回動可能に取り付けられ（すなわち、本体枠３ａは、本体枠３ａの一方端を回動支点として支持されて当該ベース枠３ｂに開閉可能に取り付けられる。）、これら本体枠３ａおよびベース枠３ｂで遊技機本体３が構成されている。そして、このような遊技機本体３に対して、遊技盤２ａを視認可能に被うガラス扉４、およびガラス扉４の下側に位置する皿ユニット５が取り付けられている。これらガラス扉４および皿ユニット５は、その一端が遊技機本体３に回動可能に軸支されており、他端が遊技機本体３に係合するようになっている。
【００３１】
また、本体枠３ａの裏面側には液晶ユニット４０が備えられている。また、液晶ユニット４０には、特別図柄（または装飾図柄）および所定の演出画像（リーチ演出画像等）が表示される。本実施の形態において、液晶ユニット４０は、遊技盤２ａを通して視認可能になっている。
【００３２】
上述したような遊技盤２ａの下方には、図１に示すように、皿ユニット５が配置されている。皿ユニット５の上部に、払い出された遊技球および遊技領域に打ち込まれる遊技球が貯留される上皿５ａが配置されているとともに、皿ユニット５の下部に、払い出しにより上皿５ａからオーバーフローした遊技球が貯留される下皿５ｂが配置されている。また、上皿５ａの所定の位置に、遊技終了時などにおいて上皿５ａに貯留された遊技球を下皿５ｂに移動させて取り出す場合に操作されるシャッタレバー１０が設けられている。
【００３３】
皿ユニット５の右側には、レール６を介して遊技盤２ａの遊技領域へ遊技球を打ち込む際に回動操作されるハンドル７が設けられている。ハンドル７には遊技球の発射を停止するストップボタン（図示せず）が設けられている。
【００３４】
なお、ガラス扉４の上部の左右には、スピーカ８ａ，８ｂがそれぞれ配置されている。
【００３５】
次に、図２を用いて本体枠３ａの背面側の構成について説明する。
【００３６】
図２は、本体枠３ａの背面側を示す説明図である。
【００３７】
なお、図２において、向かって右側がヒンジ側（ヒンジを介してベース枠３ｂに回動可能に取り付けられている側。すなわち、回動支点として支持される側。）であり、左側が開閉端側である。そのため、遊技機内部が開放される場合は、開閉端側から開放される。
【００３８】
また、同図に示すように、本体枠３ａの背面には、遊技機１の動作を実現するためのさまざまな電子部品や電子部品等を実装した基板等が搭載されている。
【００３９】
例えば、本体枠３ａの背面中央には、予め設定されたプログラムに従ってパチンコ機１の遊技動作を行うメインＣＰＵ（超小型演算処理装置）等を実装する主制御基板１００が、本体枠３ａの背面の中央よりやや上右側にはＡＣ電源の取り込みや基板間の信号の中継を行う枠中継基板１３０が、本体枠３ａの背面の中央よりやや下左側には各電子部品が動作するために必要な電圧の電源を生成する電源基板１５０が、本体枠３ａの背面の中央よりやや下右側には、賞球や貸球等を皿ユニット５に向けて払出す払出装置（図示せず）を駆動制御する払出制御基板１７０がそれぞれ搭載されている。なお、本体枠３ａの背面の上部には遊技球が貯留される貯留タンク４００が配置されている。さらに、本体枠３ａの背面の各所には、電子部品を搭載した基板間を電気的に接続する配線（例えば、図９に示す配線２１０）が伸びている。
【００４０】
そして、本体枠３ａの背面の中央よりやや上左側、すなわち、主制御基板１００の上方には、制御基板ケース５０が搭載されている。制御基板ケース５０には、演出制御基板(図示せず)が格納されている。
【００４１】
なお、本実施の形態においては、上記演出制御基板により、液晶ユニット４０の画像表示制御や、遊技機１の各所に配置されているランプ・ＬＥＤ（図示せず）等の発光表示制御、スピーカ８ａ，８ｂからの音出力制御が行われる。
【００４２】
さらに、主制御基板１００の図面左側には、本発明の要部である保護カバー２００が係止されている。すなわち、本実施の形態において、保護カバー２００は、本体枠３ａにおける上記ヒンジ側（回動支点）とは反対側に位置する２つの基台３００（図３，図４および図１０参照）に係止されている。
【００４３】
ここで、保護カバー２００とは、図３に示すように、本体枠３ａの背面側に配設されている配線２１０の少なくとも一部を覆うカバーである（詳しくは後述する）。
【００４４】
このように、本体枠３ａの背面には、電子部品や基板等が搭載されている。
【００４５】
但し、これらＣＰＵなどの電子部品を実装（搭載）した主制御基板１００などの搭載位置は一例に過ぎず、また、本発明の遊技機に搭載される電子部品や基板などは列挙されたものに限定されない。つまり、電子部品としては、他にもソレノイドなど、電力の供給を受けて動作する種々の部品を適用することが可能であり、また主制御基板１００を、制御基板ケース５０内に含めるなど、基板としての構成には様々な態様が考えられる。
【００４６】
次に、図３〜図９を用いて本発明の要部である保護カバー２００について説明する。
【００４７】
保護カバー２００は、略長方形の形状をしており、その一端には、２つの軸受け部（第１の係止部）２００ａが、所定の間隔を空けて備えられている（図３，図５，図７参照）。
【００４８】
この軸受け部２００ａは、図５および図７に示すように、その先端がＪ字形になっている。そのため、図３および図８の断面図に示すように、基台３００に備えられている軸部３００ａに回動可能に係止（軸支）されることができるようになっている。
【００４９】
これにより保護カバー２００は、本体枠３ａ背面の開閉端側、（図１０において、図示右側）に位置するようになる。
【００５０】
ここで、図８（ａ）〜（ｃ）は、図３におけるＡ方向から見た保護カバー２００の一部を示す断面図である。そして、図８（ａ）は保護カバー２００が開放されて後述する切り欠き３ｄ（図４参照）が露出した状態を示す断面図であり、図８（ｂ）は保護カバー２００が係止された状態を示す断面図である。また、図８（ｃ）は保護カバー２００により配線２１０の一部が覆われた状態を示す断面図である。なお、図８（ａ），（ｂ）においては、配線２１０は省略されている。
【００５１】
次に、図４を用いて基台３００の周辺について説明する。
【００５２】
図４は基台に保護カバーが係止されていない状態を示す説明図である。
【００５３】
同図に示すように、上述した基台３００の近傍には、略長方形の切り欠き３ｄが形成されている。そして、切り欠き３ｄの周縁には、係止爪（第２の係止部）２００ｂ（図６〜図８参照）と係止する本体枠係止部（本体枠の係止部）３ｃが形成されている。
【００５４】
ここで、基台３００の軸部３００ａに保護カバー２００の軸受け部２００ａが係止されると、図３に示すように、上記切り欠き３ｄは、保護カバー２００に覆われるようになっている。
【００５５】
また、図６および図７に示すように、保護カバー２００において、軸受け部２００ａを備える端部に対向する端部には、上記本体枠係止部３ｃに係止される２つの係止爪（第２の係止部）２００ｂが備えられている。この係止爪２００ｂの先端は外方に突出しており、この突出部分が本体枠係止部３ｃに係止されるようになっている（図８（ｂ）の断面図参照）。この係止により、矢印Ａ方向（開方向）への保護カバー２００の動きが規制される。
【００５６】
また、図６および図７に示すように、上記２つの係止爪２００ｂの間には、当該係止爪２００ｂが規制する方向とは反対方向（すなわち、図８の矢印Ｂ方向）への動きを規制する規制部２００ｃが備えられている。この規制部２００ｃの先端には外方に向かって凸部が形成されており、この凸部が本体枠係止部３ｃに引っかかることにより、上記Ｂ方向への動きを規制することができるようになっている（図８（ｂ）の断面図参照）。
【００５７】
上述したように、上記係止爪２００ｂおよび規制部２００ｃが本体枠係止部３ｃへ係止されることによって保護カバー２００の動きが規制されるようになっているが、これに加え、係止爪２００ｂの近傍に位置する第２規制部２００ｄにより、当該規制をより確実なものとしてもよい。
【００５８】
上記第２規制部２００ｄには、上述の規制部２００ｃと同様に、外方に向かって凸部が形成されており、この凸部が本体枠係止部３ｃに引っかかることにより、上記Ｂ方向への動きを規制することができるようになっている。
【００５９】
次に、保護カバー２００に覆われた配線についての説明を図３、図８（ｃ）および図９を用いて説明する。
【００６０】
上述したように  ２つの軸受け部２００ａの間には所定の間隔が空けられている（以下、この所定の間隔を「開口部２００ｅ」という（図３、図５参照）。）。
【００６１】
この開口部２００ｅは、配線２１０の少なくとも一部が挿通可能となっており、例えば、配線２１０が上記開口部２００ｅから挿通し、切り欠き３ｄへと延びることが可能となっている（図８（ｃ）の断面図参照）。これにより、保護カバー２００は、開口部２００ｅから切り欠き３ｄへと延びる配線２１０の一部を覆うことが可能になっている。
【００６２】
ここで、配線２１０は、上記切り欠き３ｄとは別方向へ延びていてももちろんよい。
【００６３】
例えば、開口部２００ｅから挿通された配線２１０は、保護カバー２００が本体枠係止部３ｃに係止された際に発生する隙間（例えば図９に示す第２規制部２００ｄの図面左側）から保護カバー２００の外へと延びていてもよい。
【００６４】
以上、本発明の実施の形態を説明したが、これは本発明を具体的に例示したに過ぎず、特に本発明を限定するものではない。
【００６５】
本実施の形態において、保護カバー２００は、本体枠３ａにおけるヒンジ側（回動支点）とは反対側に位置する基台３００に係止されているが、これに限られず、他の位置の基台に係止されていてもよい。例えば、保護カバー２００は、本体枠３ａにおける背面側の周縁部に位置する基台に係止されていてもよい。
【００６６】
また、本実施の形態の保護カバー２００は、例えばポリカーボネートなどの透明性を有する部材で構成されていてもよい。これにより、保護カバー２００を取り外さずとも保護カバー２００に覆われている配線２１０を視認することができるため、点検が容易になるとともに、ゴト行為等の不正行為等を発見しやすくなる。
【００６７】
また、本実施の形態においては、図１０に示すように、保護カバー２００が取り付けられる基台３００は、本体枠３ａ背面の開閉端側、すなわち、本体枠３ａ背面の図示右側のに設けられているが、これに限られず、基板ケースや電子部品等と一体的に形成されていてもよい。例えば、主制御基板１００の基板ケースに一体的に形成されていてもよい。
【００６８】
また、本実施の形態において、保護カバー２００には軸部３００ａと回動可能に係止する軸受け部２００ａが備えられていたが、当該軸受け部２００ａは、回動不能に係止するだけの係止部であってももちろんよい。この場合、上記軸部３００ａに係止してもよいし、別の場所に係止してもよい。その他、保護カバー２００および基台３００に係止爪を設け、互いの爪が係止し合うことで、保護カバー２００が基台３００に取り付けられるようになっていてもよい。また、保護カバー２００および基台３００のいずれか一方にのみ係止爪を設け、当該係止爪により保護カバー２００が基台３００に取り付けられるようになっていてもよい。
【００６９】
また、本実施の形態において、軸部３００ａ、軸受け部２００ａ、係止爪２００ｂ等は、それぞれ２つずつ備えられているが、それぞれの個数はこれに限定されない。例えば、それぞれ一つであってもよいし、３つ以上備えられていてもよい。
【００７０】
また、本実施の形態において、係止爪２００ｂおよび規制部２００ｃは、軸受け部２００ａを備える端部に対向する端部に備えられていたが、これに限られず、他の端部に備えられていてもよい。
【００７１】
さらに、本実施の形態においては、保護カバー２００には軸受け部２００ａが、基台３００には軸部３００ａがそれぞれ備えられていたが、これに限られず、種々の形態が考えられる。例えば、保護カバー２００には軸部３００ａが、基台３００には軸受け部２００ａがそれぞれ備えられていてもよい。
【００７２】
以上説明したように、本実施の形態によれば、遊技機内部(本体枠３ａ背面側)の配線を保護することができる。そのため、点検や輸送の際等に、配線のたるみに指などを引っ掛けてしまうことを防止することができ、本体枠３ａの背面側に配設されている配線の断線等を防ぐことができる。さらに、配線を用いた不正行為を防止することもでき、安全性を高めることができる。
【００７３】
また、保護カバー２００は係止されているだけであるため、工具を用いずとも当該保護カバーを取り外すことが可能であり、配線の設置作業、撤去作業、接続確認作業、その他のメンテナンス作業等を効率良く行うことができる。
【００７４】
さらに、本実施の形態によれば、保護カバー２００は、本体枠３ａにおける背面側の周縁部に位置する基台３００に係止されているので、本体枠３ａにおける背面側の周縁部に配設される配線２１０が、本体枠３ａにおける背面側から突出しないように保護することができる。そのため、点検や輸送の際等に、配線のたるみに指などを引っ掛けてしまうことをより防止することができ、本体枠における背面側の周縁部に配設されている配線の断線等をより防ぐことができる。さらに、配線を用いた不正行為をより防止することもでき、安全性を高めることができる。
【００７５】
また、本実施の形態によれば、軸受け部２００ａは軸部３００ａと回動可能に係止されるため、保護カバー２００を回動して開閉することが可能となり、保護カバー２００を取り外さなくとも、配線の設置作業、撤去作業、接続確認作業、その他のメンテナンス作業等を行うことができ、作業の効率化をより一層高めることができる。
【００７６】
また、軸部３００ａと軸受け部２００ａとを係止させるにより係止部分をより安定させることができる。そのため、係止が外れてしまうことを防止することができる。
【００７７】
また、本実施の形態によれば、保護カバー２００は、本体枠係止部３ｃに係止される係止爪２００ｂを備えている。これにより、係止が外れてしまうことをより確実に防止することができるとともに、本体枠３ａにおける背面側の周縁部に配設される配線の保護をより確実に行うことができる。そのため、点検や輸送の際等に、配線のたるみに指などを引っ掛けてしまうことをより確実に防止することができ、本体枠３ａにおける背面側の周縁部に配設されている配線の断線等をより確実に防ぐことができる。さらに、配線を用いた不正行為をより確実に防止することもでき、安全性を高めることができる。
【００７８】
また、本実施の形態によれば、保護カバー２００は、規制部２００ｃを備えているため、係止爪２００ｂが規制する方向とは反対方向への動きも規制される。これにより、係止が外れてしまうことをより確実に防止することができるとともに、本体枠３ａにおける背面側の周縁部に配設される配線の保護をより確実に行うことができる。そのため、点検や輸送の際等に、配線のたるみに指などを引っ掛けてしまうことをより確実に防止することができ、本体枠３ａにおける背面側の周縁部に配設されている配線の断線等をより確実に防ぐことができる。さらに、配線を用いた不正行為をより確実に防止することもでき、安全性を高めることができる。
【００７９】
さらに、本実施の形態によれば、複数の軸受け部２００ａが軸部３００ａに係止されることにより、複数の軸受け部２００ａの間に、配線２１０の少なくとも一部が挿通可能な開口部２００ｅが形成される。これにより、開口部２００ｅに挿通する配線２１０の動きを四方から規制することができ、配線２１０を一層確実に保護することができるとともに、配線を束にしてまとめ易くなるため、遊技機内部（本体枠３ａにおける背面側）の整頓が容易となる。
【００８０】
また、本実施の形態によれば、保護カバー２００は、本体枠３ａにおける回動支点とは反対側に位置しているので、本体枠背面側の開閉端側に配置されている配線２１０が、本体枠３ａの回動等を契機とする挟み込まれ等により断線することを防止できる。
【産業上の利用可能性】
【００８１】
以上の説明においては、本発明をパチンコ遊技機本体が遊技台に取り付けられた遊技機に適用した場合が説明されているが、本発明はこれに限定されるものではなく、スロットマシン（パチスロ機）、雀球、スマートボールあるいはゲームセンターに設置された各種ゲーム機など、種々の遊技機に適用することが可能である。
【図面の簡単な説明】
【００８２】
【図１】本発明の一実施の形態にである遊技機を示す斜視図である。
【図２】図１の遊技機の本体枠の背面側を示す説明図である。
【図３】図２に示す係止された保護カバーの拡大図である。
【図４】基台に保護カバーが係止されていない状態を示す説明図である。
【図５】本実施の形態の保護カバーにおける軸受け部を備える端部側を示す斜視図である。
【図６】本実施の形態の保護カバーにおける軸受け部を備える端部側に対向する端部を示す斜視図である。
【図７】本実施の形態に係る保護カバーの裏面を示す斜視図である。
【図８】図３に示す保護カバーの断面図である。
【図９】配線の一部を覆う保護カバーの裏面を示す斜視図である。
【図１０】本実施の形態に係る遊技機の分解斜視図である。
【符号の説明】
【００８３】
１  パチンコ遊技機（遊技機）
２ａ  遊技盤
３  遊技機本体
３ａ  本体枠
３ｂ  ベース枠
３ｃ  本体枠係止部（本体枠の係止部）
３ｄ  切り欠き
４  ガラス扉
５  皿ユニット
５ａ  上皿
５ｂ  下皿
６  レール
７  発射ハンドル
８ａ，８ｂ  スピーカ
１０  シャッタレバー
４０  液晶ユニット
５０  制御基板ケース
１００  主制御基板
１３０  枠中継基板
１５０  電源基板
１７０  払出制御基板
２００  保護カバー
２００ａ  軸受け部（第１の係止部）
２００ｂ  係止爪（第２の係止部）
２００ｃ  規制部
２００ｄ  第２規制部
２００ｅ  開口部
２１０  配線
３００  基台
３００ａ  軸部（所定の係止部）
４００  貯留タンク
【図１】
2006204786.tif 000003
【図２】
2006204786.tif 000004
【図３】
2006204786.tif 000005
【図４】
2006204786.tif 000006
【図５】
2006204786.tif 000007
【図６】
2006204786.tif 000008
【図７】
2006204786.tif 000009
【図８】
2006204786.tif 000010
【図９】
2006204786.tif 000011
【図１０】
2006204786.tif 000012